(57)【要約】【課題】機械的入力手段を用いることにより、ユーザが利用可能な操作コマンドの把握が容易な音声入力装置を提供する。【解決手段】タッチパネルスイッチ２１の表示部１６に表示された補助表示７２にユーザから操作入力があると、表示部１６はメカニカルスイッチ２２への入力を促す入力促進表示を表示する。これにより、ユーザは、入力促進表示が表示されているとき、メカニカルスイッチ２２が操作可能であることを認識する。表示部１６に入力促進表示が表示されてから、設定期間内にメカニカルスイッチ２２へ入力があると、表示部１６にはこのメカニカルスイッチ２２に割り当てられた機器に対応する音声入力の操作コマンドが表示される。これにより、ユーザは、音声入力として、表示部１６に表示された操作コマンドを利用可能であることを認識する。【選択図】図１
2015200697.tif 000002
【特許請求の範囲】
【請求項１】
表示部（１６）に表示した情報に対応する入力を受け付けるタッチパネルスイッチ（２１）と、
前記タッチパネルスイッチ（２１）とは別に設けられ、機械的な操作による入力を受け付ける機械的入力手段（２２）と、
音声による操作の入力を受け付ける音声入力受付手段（１７，２４）と、を備える音声入力装置（４０）であって、
前記音声入力受付手段（１７、２４）による音声の入力を受け付けるために、前記表示部（１６）に前記音声入力受付手段（１７，２４）で受け付ける音声のカテゴリ表示（７１）に加え、前記機械的入力手段（２２）からの入力を受け付けることを示す補助表示（７２）を待機画面（７０）として表示する第一表示制御手段（６１）と、
前記タッチパネルスイッチ（２１）から前記表示部（１６）に表示された前記補助表示（７２）に操作入力があると、前記表示部（１６）に、前記機械的入力手段（２２）への入力を促す入力促進表示（７３）を表示する第二表示制御手段（６２）と、
前記表示部（１６）に前記入力促進表示（７３）が表示されてから、予め設定された設定期間に前記機械的入力手段（２２）に入力があると、前記機械的入力手段（２２）に割り当てられた機器に対応する音声入力の操作コマンド（７４）を表示するコマンド表示手段（６３）と、
を備える音声入力装置。
【請求項２】
前記表示部（１６）に前記入力促進表示（７３）が表示されてから、前記設定期間が経過しても前記機械的入力手段（２２）への入力が無いとき、前記第二表示制御手段（６２）による前記入力促進表示（７３）を消去し、前記待機画面（７０）に復帰する復帰手段（６４）をさらに備える請求項１記載の音声入力装置。
【発明の詳細な説明】
【技術分野】
【０００１】
本発明は、音声入力装置に関する。
【背景技術】
【０００２】
近年、ナビゲーション装置などの機器は、音声を用いる音声認識による操作の入力が普及しつつある。例えば目的地の地名、電話帳、プレイリストの検索、機器の操作および各種のアプリケーションの操作など、音声認識によって入力が可能な操作コマンドは増加している。しかしながら、音声によって入力が可能な操作コマンドが増加するにつれて、ユーザはどのような操作コマンドが音声によって入力可能であるか把握が困難になってきている。
【先行技術文献】
【特許文献】
【０００３】
【特許文献１】特開２００２−３１８５９７号公報
【発明の概要】
【発明が解決しようとする課題】
【０００４】
そこで、本発明の目的は、機械的入力手段を用いることにより、ユーザが利用可能な操作コマンドの把握が容易な音声入力装置を提供することにある。
【課題を解決するための手段】
【０００５】
請求項１記載の発明では、第一表示制御手段は、表示部に、待機画面を表示する。待機画面は、音声入力受付手段で受け付ける音声のカテゴリ表示と、機械的入力手段からの入力を受け付けることを示す補助表示とを表示する。そして、第二表示制御手段は、タッチパネルスイッチの表示部の補助表示に対しユーザから操作入力があると、表示部に、機械的入力手段への入力を促す入力促進表示を表示する。これにより、ユーザは、入力促進表示が表示されているとき、機械的入力手段が操作可能であることを認識する。これとともに、ユーザは、入力促進表示により、機械的入力手段の操作が促される。コマンド表示手段は、表示部に入力促進表示が表示されてから、予め設定された設定期間に機械的入力手段に入力があると、機械的入力手段に割り当てられた機器に対応する音声入力の操作コマンドを表示する。すなわち、コマンド表示手段は、機械的入力手段へユーザの入力があると、この機械的入力手段に割り当てられた機器に対応する音声入力の操作コマンドを表示する。これにより、ユーザは、音声入力として、表示部に表示された操作コマンドを利用可能であることを認識する。
【０００６】
このように、請求項１記載の発明では、入力促進表示が表示部に表示されている状態で機械的入力手段に入力があると、この機械的入力手段に割り当てられている機器の操作として入力可能な操作コマンドが表示部に表示される。これにより、ユーザは、機械的入力手段を操作することにより、所望の機器についての操作コマンドに対して容易にアクセス可能である。したがって、ユーザが利用可能な操作コマンドを容易に把握することができる。
【０００７】
請求項２記載の発明では、復帰手段は、表示部に入力促進表示が表示されてから、設定期間が経過しても機械的入力手段への入力が無いとき、入力促進表示を消去し、待機画面に復帰する。そのため、表示部に入力促進表示が表示されてから設定期間が経過すると、機械的入力手段からの入力は受け付けられない。これにより、機械的入力手段は、本来の機能に復帰する。したがって、機械的入力手段の本来の機能を損なうことが無く、誤操作を低減することができる。
【図面の簡単な説明】
【０００８】
【図１】一実施形態による音声入力装置を適用したナビゲーション装置の概略的な構成を示すブロック図
【図２】一実施形態による音声入力装置を適用したナビゲーション装置の外観を示す模式図
【図３】一実施形態による音声入力装置の表示部に表示された待機画面を示す模式図
【図４】一実施形態による音声入力装置の表示部に表示された入力促進表示を示す模式図
【図５】一実施形態による音声入力装置の表示部に表示された操作コマンドを示す模式図
【図６】一実施形態による音声入力装置の表示部に表示された音声認識表示を示す模式図
【発明を実施するための形態】
【０００９】
以下、音声入力装置の一実施形態を図面に基づいて説明する。
図１は、一実施形態による音声入力装置を適用したナビゲーション装置を示している。ナビゲーション装置１０は、制御部１１、位置検出部１２、地図データ入力部１３、操作スイッチ部１４、外部メモリ１５、表示部１６、音声コントローラ１７、マイクロホン接続部１８、リモコンセンサ１９および送受信部２０を備えている。制御部１１は、図示しないＣＰＵ、ＲＯＭおよびＲＡＭを有するマイクロコンピュータを主体として構成されている。
【００１０】
位置検出部１２は、ナビゲーション装置１０の現在位置を検出する。位置検出部１２は、例えばジャイロスコープ、距離センサおよびＧＰＳ受信器などを有している。ジャイロスコープは、ナビゲーション装置１０に加わる回転角速度を検出する。距離センサは、ナビゲーション装置の移動距離を検出する。ＧＰＳ受信器は、ＧＰＳ（Global Positioning System）衛星から送信される電波を受信する。
【００１１】
地図データ入力部１３は、図示しない地図データ入力部およびドライブ装置などを有している。地図データ入力部１３は、複数のノードおよびこれらノード同士をつなぐリンクにより形成された道路地図データ、目印データ、マップマッチング用データ、目的地データ、ならびに交通情報を道路データに変換するためのテーブルデータなどの各種データを記憶している。ドライブ装置は、この地図データ入力部に記憶された各種のデータを読み出す。地図データ入力部から読み出された地図データは、制御部１１の図示しないＲＡＭに一時的に保管される。なお、地図データ入力部は、外部メモリ１５と共用してもよい。
【００１２】
操作スイッチ部１４は、タッチパネルスイッチ２１およびメカニカルスイッチを有している。タッチパネルスイッチ２１は、表示部１６の画面に設けられている。メカニカルスイッチ２２は、図２に示すように表示部１６の画面の近傍に設けられている。ユーザは、操作スイッチ部１４の各スイッチを用いて、目的地、表示部１６の画面や表示態様の切り替えなどを行う各種のコマンドの入力を行う。これにより、ナビゲーション装置１０は、使用者の指示にしたがって作動する。
【００１３】
図１に示すリモコンセンサ１９は、図示しないリモコンとの間でコマンドなどの送受信を行う。外部メモリ１５は、例えば着脱可能なフラッシュメモリカードなどによって構成されている。表示部１６は、例えばカラー液晶ディスプレイを有している。表示部１６の画面には、ナビゲーション装置１０の現在位置および進行方向などを示す現在地マークなどが表示される。音声コントローラ１７は、スピーカ２３に接続している。音声コントローラ１７は、マイクロホン接続部１８に接続されたマイクロホン２４を経由して音声の入力を受け付けるとともに、音声認識部２５において音声認識を実行する。音声コントローラ１７は、音声認識の結果から入力されたコマンドを識別し、制御部１１へ出力する。また、音声コントローラ１７は、制御部１１からの音声出力指令に基づいて、音声出力信号をスピーカ２３へ出力する。
【００１４】
ナビゲーション装置１０は、オーディオ機器３１、電話機３２、空調機器３３およびアプリケーションソフトウェアを操作するための操作受付機能、つまりインターフェイスとしても機能する。ナビゲーション装置１０は、テレビジョンやビデオ再生機などのオーディオ機器３１と接続され、オーディオ機器３１の操作の入力を受け付ける。同様に、ナビゲーション装置１０は、電話機３２に接続され、携帯電話機やスマートフォンのハンズフリー通話の操作の入力を受け付ける。ナビゲーション装置１０は、空調機器３３に接続され、例えば設定温度のなど空調機器３３の操作の入力を受け付ける。さらに、ナビゲーション装置１０は、外部メモリ１５に記憶されているアプリケーションソフトウェアの実行に関する操作の入力を受け付ける。
【００１５】
次に、音声入力装置４０について説明する。
音声入力装置４０は、ナビゲーション装置１０において音声入力を受け付ける機能として組み込まれている。音声入力装置４０は、ナビゲーション装置１０を構成するタッチパネルスイッチ２１、メカニカルスイッチ２２および音声コントローラ１７を備えている。タッチパネルスイッチ２１は、表示部１６の画面に触れることにより操作が入力される。これにより、タッチパネルスイッチ２１は、表示部１６に表示した情報に対応する操作の入力を受け付ける。メカニカルスイッチ２２は、機械的入力手段に相当する。メカニカルスイッチ２２は、図２に示すように表示部１６の周囲に設けられている。図２に示す例の場合、Ａｕｄｉｏスイッチ４１、ＴＶスイッチ４２、ＭＡＰスイッチ４３、Ｍｅｎｕスイッチ４４、ＡＭスイッチ４５、ＦＭスイッチ４６、ＣＤスイッチ４７、ＡＵＸスイッチ４８などが設けられている。
【００１６】
Ａｕｄｉｏスイッチ４１は、ナビゲーション装置１０をオーディオ機器３１として機能させるときに操作される。すなわち、ユーザは、Ａｕｄｉｏスイッチ４１を押すことにより、ナビゲーション装置１０をオーディオ機器３１の画面として利用することができる。ＴＶスイッチ４２は、ナビゲーション装置１０をオーディオ機器３１の機能の一つであるＴＶとして機能させるときに操作される。ＭＡＰスイッチ４３は、ナビゲーション装置１０を本来の機能へ切り替えるときに操作される。Ｍｅｎｕスイッチ４４は、ナビゲーション装置１０を各種機器の操作を行うためのメニュー画面に移行させるときに操作される。ＡＭスイッチ４５およびＦＭスイッチ４６は、ナビゲーション装置１０をオーディオ機器３１の機能の一つであるラジオにおいて、周波数帯域を選択する際に操作される。ＣＤスイッチ４７は、ナビゲーション装置１０をオーディオ機器３１の機能の一つであるＣＤプレイヤーとして切り替えるときに操作される。ＡＵＸスイッチ４８は、ナビゲーション装置１０に接続された外部機器を操作するときに操作される。この他、Ｖｏｌｕｍｅスイッチ５１、Ｔｕｎｅスイッチ５２、スイッチ５３およびスイッチ５４などがメカニカルスイッチとして設けられている。
【００１７】
音声コントローラ１７は、音声入力受付手段に相当する。音声コントローラ１７は、上記のようにマイクロホン２４および音声認識部２５を有している。ユーザが発した音声は、マイクロホン２４が受け付ける。マイクロホン２４で受け付けられた音声は、音声認識部２５において音声の認識が実行される。音声コントローラ１７は、音声認識の結果から入力された音声に基づくコマンドを識別し、制御部１１へ出力する。
【００１８】
音声入力装置４０は、制御部１１においてコンピュータプログラムを実行することにより、第一表示制御部６１、第二表示制御部６２、コマンド表示部６３および復帰部６４をソフトウェア的に実現している。これら第一表示制御部６１、第二表示制御部６２、コマンド表示部６３および復帰部６４は、ソフトウェア的に限らず、ハードウェアとソフトウェアとの協働によって実現してもよい。
【００１９】
第一表示制御部６１は、図３に示すように表示部１６に待機画面７０を表示する。待機画面７０は、音声コントローラ１７による音声の入力を受け付けるために表示される。この待機画面７０は、音声認識マニュアル画面であり、カテゴリ表示７１および補助表示７２が含まれている。カテゴリ表示７１は、音声コントローラ１７で受け付ける音声のカテゴリを示している。具体的には、図３に示すように「Audio」、「Phone」、「Downloaded Applications」、「Navigation」、「Air Conditioner」、「Others」のような複数のカテゴリを表示している。このカテゴリ表示７１は、音声認識によって入力可能なコマンドが属するカテゴリを示している。補助表示７２は、カテゴリ表示７１とともに表示部１６に表示される。補助表示７２は、「Search from Hardware Switch」との文字を含んでいる。この補助表示７２は、メカニカルスイッチ２２の操作による入力を受け付け可能であることを示している。
【００２０】
第二表示制御部６２は、表示部１６に表示された待機画面７０のうち補助表示７２に入力があると、図４に示すように入力促進表示７３を表示する。すなわち、第二表示制御部６２は、図３に示す補助表示７２に対応する位置においてタッチパネルスイッチ２１へ操作入力つまりタッチ操作があると、図４に示すように入力促進表示７３を表示する。入力促進表示７３は、「Please push any hardware Switch」の文字を含んでおり、待機画面７０に重ねて待機画面７０のカテゴリ表示７１および補助表示７２を覆うように表示される。この入力促進表示７３は、メカニカルスイッチ２２の操作を促すために表示される。
【００２１】
コマンド表示部６３は、表示部１６に入力促進表示７３が表示された後、メカニカルスイッチ２２に入力があると、図５に示すように入力の操作がされたメカニカルスイッチ２２に割り当てられた機器に対応する操作コマンド７４を表示部１６に表示する。すなわち、コマンド表示部６３は、図４に示すように表示部１６に入力促進表示７３が表示されると、図示しないタイマーにおいて入力促進表示７３が表示されてからの経過時間を計測する。そして、コマンド表示部６３は、計測した経過時間が予め設定された設定期間を経過する前に、メカニカルスイッチ２２の操作があった否かを判断する。コマンド表示部６３は、設定期間が経過する前にメカニカルスイッチ２２の操作があったと判断したとき、図５に示すように操作されたメカニカルスイッチ２２に割り当てられている機器に対応する音声入力の操作コマンド７４を表示部１６に表示する。図５に示す例は、オーディオ機器３１に対応するＡｕｄｉｏスイッチ４１が押されたときに表示される操作コマンド７４である。一方、復帰部６４は、表示部１６に入力促進表示７３が表示された後、メカニカルスイッチ２２に入力が無いと、入力促進表示７３を消去し、表示部１６を待機画面７０に復帰させる。すなわち、復帰部６４は、設定期間内にメカニカルスイッチ２２の操作が無かったと判断したとき、図３に示すように表示部１６の入力促進表示７３を消去し、表示部１６を待機画面７０へ復帰させる。本実施形態の場合、設定期間は、数秒から十数秒に設定されている。この設定期間は、任意に設定することができる。
【００２２】
次に、上記の構成による音声入力装置４０の作動について説明する。
ユーザは、音声認識によって利用可能な操作コマンドを検索するとき、図３に示す音声認識マニュアルの待機画面７０を表示させる。具体的には、ユーザにより表示部１６の特定のタッチパネルスイッチ２１が操作されると、第一表示制御部６１は表示部１６に待機画面７０を表示する。ユーザは、メカニカルスイッチ２２を用いた操作コマンドの検索を希望するとき、待機画面７０に含まれる補助表示７２に操作入力を行う。すなわち、ユーザは、補助表示７２をタッチする。第二表示制御部６２は、補助表示７２に操作入力があると、図４に示すように入力促進表示７３を表示部１６に表示する。このとき、制御部１１は、メカニカルスイッチ２２の操作を促す音声をスピーカ２３から発する構成としてもよい。
【００２３】
このとき、制御部１１は、図示しないタイマーにおいて表示部１６に待機画面７０が表示されてからの経過時間を計測する。復帰部６４は、予め設定された設定期間内にメカニカルスイッチ２２の操作が行われなかったとき、入力促進表示７３を消去し、表示部１６を待機画面７０に復帰する。一方、コマンド表示部６３は、入力促進表示７３を表示してから設定期間内にメカニカルスイッチ２２の操作が行われたとき、操作されたメカニカルスイッチ２２に割り当てられている機器に対応する図５に示すような操作コマンド７４を表示部１６に表示する。例えば、コマンド表示部６３は、Ａｕｄｉｏスイッチ４１にユーザの入力があったとき、オーディオ機器３１に対応する操作コマンド７４を表示部１６に表示する。図５に示す操作コマンド７４は、オーディオ機器３１を操作するとき、音声認識で入力可能な操作コマンドである。すなわち、コマンド表示部６３によって表示部１６に表示された操作コマンド７４は、オーディオ機器３１の操作を行う際に音声認識による入力が可能な操作コマンドである。このとき、制御部１１は、オーディオ機器３１に対応するＡｕｄｉｏスイッチ４１が押されたことを示す音声、およびオーディオ機器３１に対応する操作コマンド７４が表示されたことをスピーカ２３から発する構成としてもよい。
【００２４】
ここで、ナビゲーション装置１０が音声認識モードへ移行すると、制御部１１は表示部１６に音声認識を開始したことを示す図６に示すような音声認識表示７５を表示する。これにより、ユーザは、音声認識を利用して制御部１１へ操作コマンドを入力可能となる。この音声認識表示７５が表示されているとき、例えばユーザが「Play FM」と音声を発すると、音声コントローラ１７はユーザが発した音声を認識する。そして、制御部１１は、認識した音声に対応する操作コマンドに基づいて、オーディオ機器３１のラジオ機能のうちＦＭラジオを起動する。また、ユーザが「Play artist ＡＢＣ」と音声を発すると、制御部１１はオーディオ機器３１のプレイリストに含まれる「ＡＢＣ」というアーティストの楽曲を再生する。
【００２５】
上記の例の場合、図３に示す待機画面７０には「Phone」や「Air Conditioner」などのカテゴリ表示７１が含まれているものの、これらのカテゴリに直接対応するメカニカルスイッチ２２が無い。この場合、表示部１６の近傍に配置されている各メカニカルスイッチ２２に、電話機３２や空調機器３３を選択する機能を割り当ててもよい。例えば図４において入力促進表示７３が表示部１６に表示されているとき、図２に示すスイッチ５３を押すことにより、「Phone」に対応する操作コマンドが表示される構成としてもよい。メカニカルスイッチ２２への各種機器の割り当ては、人間工学などに基づいて任意に設定することができる。
【００２６】
以上説明した一実施形態では、タッチパネルスイッチ２１の表示部１６に表示された補助表示７２にユーザから操作入力があると、メカニカルスイッチ２２への入力を促す入力促進表示７３が表示される。これにより、ユーザは、入力促進表示７３が表示されているとき、メカニカルスイッチ２２が操作可能であることを認識する。これとともに、ユーザは、入力促進表示７３の表示にしたがって、メカニカルスイッチ２２の操作が促される。コマンド表示部６３は、表示部１６に入力促進表示７３が表示されてから、設定期間内にメカニカルスイッチ２２へ入力があると、このメカニカルスイッチ２２に割り当てられた機器に対応する音声入力の操作コマンド７４を表示部１６に表示する。これにより、ユーザは、音声入力として、表示部１６に表示された操作コマンド７４を利用可能であることを認識する。以上のように、ユーザは、メカニカルスイッチ２２を操作することにより、所望の機器について利用可能な操作コマンド７４を検索し、容易にアクセス可能となる。したがって、ユーザは利用可能な操作コマンド７４を容易に把握することができる。
【００２７】
また、一実施形態では、復帰部６４は、表示部１６に入力促進表示７３が表示されてから、設定期間内にメカニカルスイッチ２２への入力が無いとき、入力促進表示７３を消去し、表示部１６の表示を待機画面７０に復帰させる。そのため、表示部１６に入力促進表示７３が表示されてから設定期間が経過すると、メカニカルスイッチ２２からの入力は受け付けられない。これにより、メカニカルスイッチ２２は、本来の機能に復帰する。したがって、メカニカルスイッチ２２の本来の機能を損なうことが無く、誤操作を低減することができる。
【００２８】
以上説明した本発明は、上記実施形態に限定されるものではなく、その要旨を逸脱しない範囲で種々の実施形態に適用可能である。
【符号の説明】
【００２９】
図面中、１６は表示部、１７は音声コントローラ（音声入力受付手段）、２１はタッチパネルスイッチ、２２はメカニカルスイッチ（機械的入力手段）、２４はマイクロホン（音声入力受付手段）、４０は音声入力装置、６１は第一表示制御部（第一表示制御手段）、６２は第二表示制御部（第二表示制御手段）、６３はコマンド表示部（コマンド表示手段）、６４は復帰部（復帰手段）、７０は待機画面、７１はカテゴリ表示、７２は補助表示、７３は入力促進表示、７４は操作コマンドを示す。
【図１】
2015200697.tif 000003
【図２】
2015200697.tif 000004
【図３】
2015200697.tif 000005
【図４】
2015200697.tif 000006
【図５】
2015200697.tif 000007
【図６】
2015200697.tif 000008